(57)【要約】【課題】ユーザの煩わしさを低減しつつ、浴槽に貯められた湯水の温度を所定の温度に調整できるようにする。【解決手段】目標湯温と浴槽に貯められた湯水の現在温度に基づいて、熱交換機を用いてタンク内の湯水の有する熱で浴槽に貯められた湯水の温度を上昇させる追い炊き運転と、熱交換機を用いて浴槽に貯められた湯水の有する熱をタンク内の湯水に回収させて浴槽に貯められた湯水の温度を低下させる風呂熱回収運転を選択的に行って浴槽に貯められた湯水の温度を調整する（Ｓ１０４〜Ｓ１２０）。【選択図】図３
2016031227.tif 000002
【特許請求の範囲】
【請求項１】
浴槽（５０）に貯められた湯水とタンク（３０）内の湯水との熱交換を行う熱交換機（４０）を備えた貯湯式給湯装置であって、
予め設定された目標湯温と前記浴槽に貯められた湯水の現在温度に基づいて、前記熱交換機を用いて前記タンク内の湯水の有する熱で前記浴槽に貯められた湯水の温度を上昇させる追い炊き運転と、前記熱交換機を用いて前記浴槽に貯められた湯水の有する熱を前記タンク内の湯水に回収させて前記浴槽に貯められた湯水の温度を低下させる風呂熱回収運転を選択的に行って前記浴槽に貯められた湯水の温度を調整する湯温調整手段（Ｓ１０４〜Ｓ１２０）と、を備えたことを特徴とする貯湯式給湯装置。
【請求項２】
所定の条件が成立したか否かを判定する条件判定手段（Ｓ１０２）を備え、
前記条件判定手段は、入浴者が入浴もしくは出浴したことが検知されたことを前記所定の条件が成立したと判定することを特徴とする請求項１に記載の貯湯式給湯装置。
【請求項３】
前記浴槽内の湯水の設定温度を操作する設定温度操作手段（８５）と、
所定の条件が成立したか否かを判定する条件判定手段（Ｓ１０２）と、を備え、
前記条件判定手段は、前記設定温度操作手段を用いた前記浴槽内の湯水の設定温度の変更が実施されたことを前記所定の条件が成立したと判定することを特徴とする請求項１に記載の貯湯式給湯装置。
【請求項４】
前記湯温調整手段は、前記目標温度が前記現在温度よりも低い場合には、前記風呂熱回収運転による前記浴槽に貯められた湯水の温度低下を行うことを特徴とする請求項１に記載の貯湯式給湯装置。
【請求項５】
前記湯温調整手段は、前記目標温度と前記現在温度との差の大きさが所定範囲内の場合、前記追い炊き運転による前記浴槽に貯められた湯水の温度上昇と、前記風呂熱回収運転による前記浴槽に貯められた湯水の温度低下のいずれも実施しないことを特徴とする請求項１または４に記載の貯湯式給湯装置。
【請求項６】
前記浴槽に貯められた湯水の湯量が基準湯量よりも少ないか否かを判定する湯量判定手段（Ｓ２００、Ｓ２１２）と、
前記湯量判定手段により前記浴槽に貯められた湯水の湯量が基準湯量よりも少ないと判定された場合、前記タンク内の湯水および水道水の少なくとも一方により前記浴槽への補水を実施する補水手段（Ｓ２０６、Ｓ２１８）と、を備えたことを特徴とする請求項１に記載の貯湯式給湯装置。
【請求項７】
前記補水手段は、前記湯温調整手段により前記追い炊き運転または前記風呂熱回収運転が行われる前に、前記浴槽への補水を実施することを特徴とする請求項６に記載の貯湯式給湯装置。
【請求項８】
浴槽内の浴槽用湯の量を検出する湯量検出手段（７２）と、
前記湯量検出手段により検出された浴槽内の浴槽用湯の量と所定の目標湯量の差に基づいて前記浴槽に補水する湯水の補水量を算出する補水量算出手段（Ｓ２０２、２１４）と、を備え、
前記補水手段は、前記補水量算出手段により算出された前記補水量の湯水を前記浴槽に補水することを特徴とする請求項６または７に記載の貯湯式給湯装置。
【請求項９】
現在湯量および現在湯温に基づいて現在の浴槽に貯められた湯水の現在風呂熱量を算出するとともに目標湯量および目標湯温に基づいて目標風呂熱量を算出し、前記現在風呂熱量および前記目標風呂熱量に基づいて浴槽に補水する湯水の補水温度を算出する補水温度算出手段（Ｓ２０４、Ｓ２１６）を備え、
前記補水手段は、前記補水温度算出手段により算出された補水温度の湯水を前記浴槽に補水することを特徴とする請求項６ないし８のいずれか１つに記載の貯湯式給湯装置。
【請求項１０】
前記湯温調整手段は、前記補水手段による前記浴槽への補水が実施された後、前記目標温度と前記現在温度との差の大きさが所定範囲内の場合、前記追い炊き運転による前記浴槽に貯められた湯水の温度上昇と、前記風呂熱回収運転による前記浴槽に貯められた湯水の温度低下のいずれも実施しないことを特徴とする請求項６に記載の貯湯式給湯装置。
【請求項１１】
前記浴槽への補水を有効にするか無効にするかを設定する操作部（８０）を備え、
前記補水手段は、前記操作部が前記浴槽への補水を有効にする設定となっている場合、前記浴槽への補水を実施し、前記操作部が前記浴槽への補水を無効にする設定となっている場合、前記浴槽への補水を実施しないことを特徴とする請求項６ないし１０のいずれか１つに記載の貯湯式給湯装置。
【発明の詳細な説明】
【技術分野】
【０００１】
本発明は、貯湯式給湯装置に関するものである。
【背景技術】
【０００２】
従来、ユーザ操作により、浴槽内の湯水の温度を低下させる湯温低下運転の開始が指示されると、浴槽の湯水の有する熱を貯湯槽の湯水に回収する熱回収運転を行うようにしたものがある（例えば、特許文献１参照）。
【先行技術文献】
【特許文献】
【０００３】
【特許文献１】特開２０１３−３２８６３号公報
【発明の概要】
【発明が解決しようとする課題】
【０００４】
しかしながら、上記特許文献１に記載された装置は、ユーザ操作による湯温低下運転の開始指示に応じて熱回収運転を行うようになっているので、例えば、前の入浴者に続いて次の入浴者が入浴するようなときに、浴槽の温水に触れて湯温を確認し、追い炊き運転が必要か、熱回収運転が必要かを判断した上で、リモコンで追い炊き運転または熱回収運転を指示する必要があり、ユーザに煩わしさを感じさせてしまうといった問題がある。
【０００５】
本発明は上記問題に鑑みたもので、ユーザの煩わしさを低減しつつ、浴槽に貯められた湯水の温度を所定の温度に調整できるようにすることを目的とする。
【課題を解決するための手段】
【０００６】
上記目的を達成するため、請求項１に記載の発明は、浴槽（５０）に貯められた湯水とタンク（３０）内の湯水との熱交換を行う熱交換機（４０）を備えた貯湯式給湯装置であって、予め設定された目標湯温と浴槽に貯められた湯水の現在温度に基づいて、熱交換機を用いてタンク内の湯水の有する熱で浴槽に貯められた湯水の温度を上昇させる追い炊き運転と、熱交換機を用いて浴槽に貯められた湯水の有する熱をタンク内の湯水に回収させて浴槽に貯められた湯水の温度を低下させる風呂熱回収運転を選択的に行って浴槽に貯められた湯水の温度を調整する湯温調整手段（Ｓ１０４〜Ｓ１２０）と、を備えたことを特徴としている。
【０００７】
このような構成によれば、予め設定された目標湯温と浴槽に貯められた湯水の現在温度に基づいて、熱交換機を用いてタンク内の湯水の有する熱で浴槽に貯められた湯水の温度を上昇させる追い炊き運転と、熱交換機を用いて浴槽に貯められた湯水の有する熱をタンク内の湯水に回収させて浴槽に貯められた湯水の温度を低下させる風呂熱回収運転を選択的に行って浴槽に貯められた湯水の温度が調整されるので、ユーザの煩わしさを低減しつつ、浴槽に貯められた湯水の温度を所定の温度に調整することができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】第１実施形態の貯湯式給湯装置の全体構成図である。
【図２】第１実施形態の貯湯式給湯装置の電気制御部を示すブロック図である。
【図３】第１実施形態の貯湯式給湯装置の制御処理の要部を示すフローチャートである。
【図４】浴槽５０内にたし湯をするときの給湯水および水道水の流れを示した図である。
【図５】第４実施形態の貯湯式給湯装置の制御処理の要部を示すフローチャートである。
【発明を実施するための形態】
【００１０】
（第１実施形態）
図１〜図３を用いて、本発明の第１実施形態について説明する。本実施形態の貯湯式給湯装置１０は、図１の全体構成図に示すように、ヒートポンプサイクル２０、貯湯タンク３０、浴槽用熱交換器４０、浴槽５０等を備えて構成されている。
【００１１】
ヒートポンプサイクル２０は、給湯水を加熱するものであり、貯湯タンク３０は、ヒートポンプサイクル２０によって加熱された給湯水を貯湯するものである。浴槽用熱交換器４０は、貯湯タンク３０に貯湯された給湯水と浴槽５０に貯められた浴槽用湯とを熱交換させるものであり、浴槽５０は、ユーザが入浴するための湯（浴槽用湯）を貯めておくものである。
【００１２】
より具体的には、ヒートポンプサイクル２０は、冷媒を圧縮する圧縮機、圧縮機から吐出された高圧冷媒と貯湯タンク３０に貯湯される給湯水とを熱交換させて給湯水を加熱する放熱器としての水−冷媒熱交換器、水−冷媒熱交換器から流出した冷媒を減圧させる減圧装置、および減圧装置にて減圧された低圧冷媒と外気とを熱交換させて低圧冷媒を蒸発させる蒸発器としての室外熱交換器（いずれも図示せず。）を順次冷媒配管で接続して構成された蒸気圧縮式の冷凍サイクルである。
【００１３】
本実施形態のヒートポンプサイクル２０では、冷媒として二酸化炭素を採用しており、圧縮機の吐出口側から減圧装置の入口側へ至るサイクルの高圧側冷媒圧力が冷媒の臨界圧力以上となる超臨界冷凍サイクルを構成している。また、ヒートポンプサイクル２０を構成する電動式の各種構成機器は、後述する制御装置７０から出力される制御電圧あるいは制御信号によって、その作動が制御される。
【００１４】
ヒートポンプサイクル２０の水−冷媒熱交換器は、高圧冷媒を流通させる冷媒通路と給湯水を流通させる水通路とを有している。この水通路の入口側には、入口側給湯水配管６０ａを介して、貯湯タンク３０の下方側に設けられた下方側流入出口３０ａが接続されている。また、水通路の出口側には、出口側給湯水配管６０ｄを介して、第１三方継手６１ａの１つの流入出口が接続されている。
【００１５】
この入口側給湯水配管６０ａには、貯湯タンク３０内へ水道水を供給する給水配管６０ｂ、および貯湯タンク３０の下方側の給湯水あるいは水道水を、ヒートポンプサイクル２０（具体的には、水−冷媒熱交換器の水通路）を迂回させて後述する三方弁６２側へ導くバイパス配管６０ｃが接続されている。
【００１６】
さらに、入口側給湯水配管６０ａには、貯湯タンク３０の下方側の給湯水あるいは水道水を水−冷媒熱交換器の水通路へ圧送する沸上用水ポンプ６３ａが配置されている。
【００１７】
この沸上用水ポンプ６３ａは、制御装置７０から出力される制御電圧によって、その作動が制御される電動式の水ポンプである。さらに、本実施形態の沸上用水ポンプ６３ａは、逆流防止機能を有している。従って、沸上用水ポンプ６３ａが停止していても、第１三方継手６１ａ側から水通路側へ給湯水が逆流することはない。もちろん、沸上用水ポンプ６３ａの吐出口側等に同様の機能を有する逆止弁を配置してもよい。
【００１８】
出口側給湯水配管６０ｄに接続された第１三方継手６１ａの別の流入出口には、後述する浴槽用熱交換器４０の給湯水側通路４０ａの入口側、並びに、三方弁６２の１つの流入出口が接続されている。さらに、三方弁６２の別の流入出口には、貯湯タンク３０の上方側に設けられた上方側流入出口３０ｂ、並びに、バイパス配管６０ｃの出口側が接続されている。
【００１９】
三方弁６２は、給湯水が流れる給湯水流路を切り替えるものであって、制御装置７０から出力される制御電圧によって、その作動が制御される。具体的には、本実施形態の三方弁６２は、貯湯タンク３０の下方側流入出口３０ａと第１三方継手６１ａとを接続する給湯水流路、および貯湯タンク３０の上方側流入出口３０ｂと第１三方継手６１ａとを接続する給湯水流路を切り替える機能を果たす。
【００２０】
次に、貯湯タンク３０は、耐食性に優れた金属（例えば、ステンレス）にて中空円柱状に形成され、軸方向が略鉛直方向に延びる縦長形状に形成されている。さらに、貯湯タンク３０は、外周を断熱材で覆う断熱構造あるいは二重タンクによる真空断熱構造等を有しており、高温の給湯水を長時間保温しながら貯湯することができる。
【００２１】
ここで、ヒートポンプサイクル２０の水−冷媒熱交換器にて加熱された給湯水は、後述の沸上運転で説明するように、第１三方継手６１ａおよび三方弁６２を介して、貯湯タンク３０の上方側流入出口３０ｂから貯湯タンク３０内へ流入する。従って、貯湯タンク３０内の給湯水には、上方側から下方側へ向かって、温度が徐々に低下する温度分布が生じやすい。
【００２２】
また、本実施形態の貯湯タンク３０には、前述した下方側流入出口３０ａ、および上方側流入出口３０ｂの他に、貯湯タンク３０内に貯湯された給湯水のうち上方側の高温の給湯水を流出させる上方側流出口３０ｃ、貯湯タンク３０内に貯湯された給湯水のうち上下方向中間部位の中間温度の給湯水を流出させる中間側流出口３０ｄ、浴槽用熱交換器４０の給湯水側通路４０ａから流出した給湯水を貯湯タンク３０内の上下方向中間部位へ流入させる中間側流入口３０ｅが設けられている。
【００２３】
なお、図１では、図示の明確化のために、中間側流出口３０ｄが中間側流入口３０ｅよりも上方側に配置された例を示しているが、これに限定されることなく、中間側流出口３０ｄを中間側流入口３０ｅよりも下方側に配置してもよい。さらに、中間側流出口３０ｄと中間側流入口３０ｅとを略同等の高さで配置してもよい。
【００２４】
貯湯タンク３０の上方側流出口３０ｃには、温度調整弁６４ａの一方の流入口が接続されている。また、中間側流出口３０ｄには、温度調整弁６４ａの他方の流入口が接続されている。温度調整弁６４ａは、上方側流出口３０ｃから流出した給湯水と中間側流出口３０ｄから流出した給湯水との混合比率を調整して、下流側に流出させる給湯水の温度を調整する。
【００２５】
より詳細には、温度調整弁６４ａは、上方側流出口３０ｃから流出した高温の給湯水を流通させる通路の通路断面積と、中間側流出口３０ｄから流出した中間温度の給湯水を流通させる通路の通路断面積とを同時に変化させる弁体、およびこの弁体を変位させる電動アクチュエータを有する三方式の流量調整弁で構成されている。この電動アクチュエータは、制御装置７０から出力される制御信号によって、その作動が制御される。
【００２６】
さらに、本実施形態の温度調整弁６４ａは、高温の給湯水を流通させる通路および中間温度の給湯水を流通させる通路のうち、一方の通路を全開として他方の通路を全閉とすることもできる。
【００２７】
温度調整弁６４ａの出口側には、浴槽用温度調整弁６４ｂの一方の流入口が接続されている。浴槽用温度調整弁６４ｂの基本的構成は、温度調整弁６４ａと同様である。浴槽用温度調整弁６４ｂの他方の流入口には、給水配管６０ｂが接続されている。従って、浴槽用温度調整弁６４ｂは、温度調整弁６４ａから流出した給湯水と水道水との混合比率を調整して、下流側に流出させる給湯水の温度を調整するものである。
【００２８】
浴槽用温度調整弁６４ｂから流出した湯は浴槽用湯として、浴槽用水循環回路６０ｅを介して、浴槽５０へ供給される。従って、浴槽用温度調整弁６４ｂは、浴槽５０へ供給される湯の温度を調整する。
【００２９】
より具体的には、浴槽用温度調整弁６４ｂの出口側には、浴槽用開閉弁６５を介して、浴槽用水循環回路６０ｅに配置された第２三方継手６１ｂの一つの流入出口が接続されている。浴槽用開閉弁６５は、浴槽用温度調整弁６４ｂの出口側と浴槽用水循環回路６０ｅとを接続する浴槽用配管６０ｆを開閉するものであって、制御装置７０から出力される制御信号によって、その作動が制御される電磁弁である。
【００３０】
浴槽用水循環回路６０ｅは、浴槽５０内と浴槽用熱交換器４０の浴槽用湯側通路４０ｂとの間で浴槽用湯を循環させる水循環回路である。浴槽用水循環回路６０ｅには、浴槽５０の上下方向中間位置に設けられた浴槽用湯吸入口から浴槽用湯を吸入して浴槽用湯側通路４０ｂへ圧送する浴槽用水ポンプ６３ｂが配置されている。この浴槽用水ポンプ６３ｂの基本的構成は、沸上用水ポンプ６３ａと同様である。
【００３１】
そして、浴槽用水ポンプ６３ｂの吐出口側には、第２三方継手６１ｂの別の流入出口が接続されており、第２三方継手６１ｂのさらに別の流入出口には、浴槽用湯側通路４０ｂの入口側が接続されている。さらに、浴槽用湯側通路４０ｂの出口側には、浴槽５０の下方側に配置された浴槽用湯吐出口が接続されている。
【００３２】
なお、本実施形態の温度調整弁６４ａの出口側には、図示しないシャワー用温度調整弁、蛇口用温度調整弁等が、浴槽用温度調整弁６４ｂに対して並列的に接続されている。これらのシャワー用温度調整弁および蛇口用温度調整弁は、それぞれ温度調整弁６４ａから流出した給湯水と水道水とを混合させて、ユーザの所望の温度となった給湯水をシャワー、蛇口等の給湯端末へ供給することができる。
【００３３】
次に、浴槽用熱交換器４０は、前述の如く、第１三方継手６１ａから流出した給湯水を流通させる給湯水側通路４０ａと、浴槽用水循環回路６０ｅを循環する浴槽用湯を流通させる浴槽用湯側通路４０ｂとを有し、給湯水側通路４０ａを流通する給湯水と浴槽用湯側通路４０ｂを流通する浴槽用湯とを熱交換させるものである。
【００３４】
さらに、本実施形態では、浴槽用熱交換器４０として、給湯水側通路４０ａを流通する給湯水の流れ方向と浴槽用湯側通路４０ｂを流通する浴槽用湯の流れ方向が対向流となる対向流型の熱交換器を採用している。
【００３５】
また、給湯水側通路４０ａの出口側には、給湯水側通路４０ａから流出した給湯水を貯湯タンク３０の中間側流入口３０ｅへ圧送する給湯水ポンプ６３ｃが配置されている。この給湯水ポンプ６３ｃの基本的構成は、沸上用水ポンプ６３ａと同様である。
【００３６】
次に、図２のブロック図を用いて、本実施形態の貯湯式給湯装置１０の電気制御部の概要について説明する。制御装置７０は、ＣＰＵ、ＲＯＭおよびＲＡＭ等を含む周知のマイクロコンピュータとその周辺回路から構成されている。そして、そのＲＯＭ内に記憶された制御プログラムに基づいて各種演算、処理を行い、その出力側に接続された各種制御対象機器の作動を制御するものである。
【００３７】
制御装置７０の出力側には、ヒートポンプサイクル２０の構成機器（具体的には、圧縮機、減圧装置）、三方弁６２、沸上用水ポンプ６３ａ、浴槽用水ポンプ６３ｂ、給湯水ポンプ６３ｃ、温度調整弁６４ａ、浴槽用温度調整弁６４ｂ、浴槽用開閉弁６５等の各種制御対象機器が接続されている。
【００３８】
一方、制御装置７０の入力側には、赤外線センサ７１、水位センサ７２、タンク内温度センサ７３、浴槽用湯温センサ７４、外気温センサ７５等が接続され、これらのセンサ群の検出信号が制御装置７０へ入力される。
【００３９】
赤外線センサ７１は、浴室内の浴槽５０近傍に配置されており、検出された赤外線の変化量等に応じて、ユーザの浴槽５０内への入浴（すなわち、ユーザが浴槽５０に貯められた浴槽用湯へ入ったこと）およびユーザの浴槽５０内からの出浴（すなわち、ユーザが浴槽５０に貯められた浴槽用湯から出たこと）を検出するものである。
【００４０】
水位センサ７２は、浴槽用水循環回路６０ｅの浴槽用湯吸入口近傍に配置されており、検出された水圧の変化等に応じて、浴槽５０内の浴槽用湯の量ＷＬを検出するものである。
【００４１】
タンク内温度センサ７３は、貯湯タンク３０内に貯湯された給湯水の温度を検出するタンク内温度検出手段である。より具体的には、本実施形態のタンク内温度センサ７３は、貯湯タンク３０内に上下方向に並んで配置された複数個（本実施形態では、５つ）の温度センサによって構成されている。
【００４２】
これにより、制御装置７０では、複数のタンク内温度センサ７３の出力信号によって、貯湯タンク３０内の水位に応じた給湯水の温度、および貯湯タンク３０内の温度分布を検出することができる。
【００４３】
また、浴槽用湯温センサ７４は、浴槽５０内に貯められた浴槽用湯の温度（浴槽用湯温）ＴＢを検出するものである。また、外気温センサ７５は、ヒートポンプサイクル２０の室外熱交換器にて低圧冷媒と熱交換する外気温を検出するものである。
【００４４】
さらに、制御装置７０の入力側には、浴室内等に配置されたリモコン（操作パネル）８０が接続されている。このリモコン８０には、貯湯式給湯装置１０の作動状態を表示する表示部としてのディスプレイ８１、およびユーザによって操作される各種スイッチ８２〜８７が設けられている。
【００４５】
従って、本実施形態のリモコン８０は、貯湯式給湯装置１０の運転状態等を示す情報を表示する表示装置としての機能と、ユーザの操作によって各種操作信号を入力する機能とを兼ね備えている。
【００４６】
各種スイッチ８２〜８７としては、作動スイッチ８２、湯張りスイッチ８３、自動保温スイッチ８４、浴槽用温度設定スイッチ８５等がある。
【００４７】
作動スイッチ８２は、貯湯式給湯装置１０の作動を要求する作動要求信号および停止を要求する停止要求信号を出力するためのものである。湯張りスイッチ８３は、浴槽５０の湯張りを行うことを要求する信号を出力するためのものである。自動保温スイッチ８４は、浴槽５０内に貯められた浴槽用湯を所望の温度にする自動保温運転の実行を要求する信号を出力するためのものである。浴槽用温度設定スイッチ８５は、浴槽５０内の浴槽用湯の目標温度ＴＢＯを設定するためのものである。
【００４８】
さらに、リモコン８０には、その他の各給湯端末から出湯される給湯水の目標出湯温度等を設定する温度設定スイッチ等が設けられており、これらのスイッチの操作信号が制御装置７０へ入力される。
【００４９】
ここで、本実施形態の抑制温度設定スイッチ８７では、抑制温度ＴＢＬを、目標温度ＴＢＯよりも低い温度に設定することができ、目標温度ＴＢＯ以上の温度に設定することはできない。
【００５０】
次に、上記構成における本実施形態の貯湯式給湯装置１０の作動について説明する。貯湯式給湯装置１０に外部から電源が供給された状態で、リモコン８０の作動スイッチ８２が投入されると、制御装置７０が予め記憶回路に記憶している制御処理（制御プログラム）を実行する。
【００５１】
制御装置７０は、上述した各種センサの検出信号およびリモコン８０の操作信号に基づいて、貯湯タンク３０内に貯湯される給湯水を加熱する沸上運転、浴槽５０内に浴槽用湯を貯める湯張り運転、浴槽５０内に溜められた浴槽用湯を保温するための自動保温運転や温度抑制運転等を実行する。以下に、各運転の詳細について説明する。
【００５２】
（ａ）沸上運転
沸上運転は、貯湯タンク３０内に加熱された給湯水を貯めるために実行される。沸上運転では、制御装置７０が、ヒートポンプサイクル２０を作動させるとともに、沸上用水ポンプ６３ａを作動させ、さらに、第１三方継手６１ａと貯湯タンク３０の上方側流入出口３０ｂとを接続するように三方弁６２の作動を制御する。
【００５３】
従って、沸上運転では、図１の細破線矢印で示すように、貯湯タンク３０の下方側流入出口３０ａから流出した給湯水あるいは水道水が、沸上用水ポンプ６３ａに吸入されてヒートポンプサイクル２０の水−冷媒熱交換器の水通路へ圧送される。水通路へ圧送された給湯水は、冷媒通路を流通する高温高圧冷媒と熱交換して加熱される。
【００５４】
さらに、水通路から流出した高温の給湯水は、第１三方継手６１ａおよび三方弁６２を介して、貯湯タンク３０の上方側流入出口３０ｂへ流入する。これにより、貯湯タンク３０内の上方側に高温の給湯水が貯湯される。この際、沸上運転では、給湯水ポンプ６３ｃが停止しているので、給湯水ポンプ６３ｃの逆流防止機能により、第１三方継手６１ａから浴槽用熱交換器４０側へ給湯水が流出することはない。
【００５５】
沸上運転は、タンク内温度センサ７３によって検出された貯湯タンク３０内の上方側の給湯水の温度が基準沸上温度（例えば、９０℃）以上となるまで継続される。
【００５６】
なお、本実施形態の制御装置７０では、タイマー手段等を用いて、夜間の安価な商用電力を利用できる深夜電力時間帯（例えば、２３時から翌朝７時迄）に沸上運転を実行している。これにより、本実施形態の貯湯式給湯装置１０では、貯湯タンク３０に貯えられる給湯水を沸き上げるために必要な電力コストを低減させている。
【００５７】
（ｂ）湯張り運転
湯張り運転は、沸上運転が完了している状態で、リモコン８０の湯張りスイッチ８３が投入されると実行される。湯張り運転では、制御装置７０が、浴槽用開閉弁６５を開くとともに、温度調整弁６４ａおよび浴槽用温度調整弁６４ｂの作動を制御する。
【００５８】
より具体的には、温度調整弁６４ａについては、温度調整弁６４ａから流出する給湯水がリモコン８０にて設定された最高出湯温度（例えば、６０℃）となるように、その作動が制御される。
【００５９】
浴槽用温度調整弁６４ｂについては、基本的には、浴槽５０内へ流入する湯が、浴槽用温度設定スイッチ８５によって設定された目標温度ＴＢＯ（例えば、４１℃）となるように、その作動が制御される。
【００６０】
湯張り運転では、図１の細線矢印で示すように、水道水の水圧によって貯湯タンク３０の上方側流出口３０ｃから流出した高温の給湯水と中間側流出口３０ｄから流出した中間温度の給湯水が、温度調整弁６４ａにて混合される。さらに、温度調整弁６４ａから流出した給湯水と水道水が、浴槽用温度調整弁６４ｂにて混合される。
【００６１】
そして、浴槽用温度調整弁６４ｂから流出した給湯水が、第２三方継手６１ｂを介して、浴槽用水循環回路６０ｅへ流入する。浴槽用水循環回路６０ｅへ流入した給湯水は、浴槽用熱交換器４０の浴槽用湯側通路４０ｂを介して、浴槽５０内に溜められる。この際、湯張り運転では、給湯水ポンプ６３ｃが停止しているので、浴槽用湯側通路４０ｂを流通する給湯水が浴槽用熱交換器４０にて加熱あるいは冷却されることはない。
【００６２】
湯張り運転は、水位センサ７２によって検出された浴槽５０内の浴槽用湯の量ＷＬが、予め定めた基準湯量ＫＷＬとなるまで継続される。
【００６３】
（ｃ）自動保温運転
自動保温運転は、湯張り運転が完了している状態で実行される。この自動運転については、図３のフローチャートを用いて説明する。なお、図３のフローチャートにおける各制御ステップは、制御装置７０が有する各種の機能実現手段を構成している。制御装置７０は、図３に示す処理を定期的に実施する。
【００６４】
まず、自動保温スイッチ８４が投入されているか否かを判定する（Ｓ１００）。ここで、自動保温スイッチ８４が投入されている場合、Ｓ１００の判定はＹＥＳとなり、次に、所定条件が成立したか否かを判定する（Ｓ１０２）。本実施形態では、入浴者が出浴したことが検知された場合、所定条件が成立したものとなっている。前入浴者が出浴したか否かについては赤外線センサ７１を用いて検知することができる。具体的には、赤外線センサ７１により入浴者が検知されている状態から入浴者が検知されない状態になった場合、入浴者が出浴したと検知することができる。
【００６５】
ここで、赤外線センサ７１により入浴者が検知されている場合、Ｓ１０２の判定はＮＯとなり、本処理を終了する。
【００６６】
また、入浴者が浴槽５０内から出て赤外線センサ７１により入浴者が検知されている状態から入浴者が検知されない状態になった場合、Ｓ１０２の判定はＹＥＳとなり、次に、現在湯温を取得する（Ｓ１０４）。具体的には、浴槽用湯温センサ７４より、浴槽５０内に貯められた浴槽用湯の温度（現在湯温）ＴＢを取得する。
【００６７】
次に、目標湯温が現在湯温よりも高いか否かを判定する（Ｓ１０６）。本実施形態において、目標湯温は浴槽用温度設定スイッチ８５に対する操作により設定された温度となっている。
【００６８】
ここで、目標湯温が現在湯温よりも高くなっている場合、Ｓ１０６の判定はＹＥＳとなり、次に、現在湯温と目標湯温の差が第１の閾値αよりも大きいか否かを判定する（Ｓ１０８）。すなわち、現在湯温と目標湯温の差の大きさが所定範囲内か否かを判定する。
【００６９】
ここで、現在湯温と目標湯温の差が第１の閾値αよりも大きい場合、Ｓ１０８の判定はＹＥＳとなり、風呂熱回収運転を実施する（Ｓ１１０）。ここで、風呂熱回収運転について説明する。風呂熱回収運転では、制御装置７０が、貯湯タンク３０の下方側流入出口３０ａと第１三方継手６１ａとを接続するように三方弁６２の作動を制御するとともに、給湯水ポンプ６３ｃおよび浴槽用水ポンプ６３ｂを作動させる。
【００７０】
従って、風呂熱回収運転では、図１の太破線矢印に示すように、下方側流入出口３０ａから流出した低温の給湯水が、バイパス配管６０ｃ、三方弁６２、および第１三方継手６１ａを介して、浴槽用熱交換器４０の給湯水側通路４０ａへ流入する。また、図１の二重線矢印に示すように、浴槽用水ポンプ６３ｂから圧送された浴槽用湯が、浴槽用湯側通路４０ｂへ流入する。
【００７１】
浴槽用熱交換器４０では、給湯水側通路４０ａを流通する低温の給湯水と浴槽用湯側通路４０ｂを流通する浴槽用湯が熱交換して、給湯水の温度が上昇し、浴槽用湯の温度が低下する。
【００７２】
給湯水側通路４０ａから流出した給湯水は、給湯水ポンプ６３ｃに吸入されて、中間側流入口３０ｅから貯湯タンク３０内へ流入する。これにより、浴槽用湯の有する熱が貯湯タンク３０内に回収される。浴槽用湯側通路４０ｂから流出した浴槽用湯は、浴槽５０内へ戻る。
【００７３】
さらに、風呂熱回収運転では、沸上用水ポンプ６３ａが停止しているので、沸上用水ポンプ６３ａの逆流防止機能により、第１三方継手６１ａからヒートポンプサイクル２０の水−冷媒熱交換器側へ給湯水が流出することはない。また、浴槽用開閉弁６５が閉じているので、浴槽用水ポンプ６３ｂから圧送された浴槽用湯が浴槽用温度調整弁６４ｂ側へ逆流してしまうことはない。
【００７４】
次に、現在湯温が目標湯温に到達したか否かを判定する（Ｓ１１２）。ここで、現在湯温が目標湯温に到達していない場合、Ｓ１１０へ戻り、風呂熱回収運転を継続する。
【００７５】
そして、現在湯温が目標湯温に到達すると、Ｓ１１０の判定はＹＥＳとなり、風呂熱回収運転を停止して、本処理を終了する。
【００７６】
なお、目標湯温が現在湯温よりも高い場合でも、現在湯温と目標湯温の差が第１の閾値α以下となっている場合、Ｓ１０８の判定はＮＯとなり、風呂熱回収運転を実施することなく、本処理を終了する。
【００７７】
一方、Ｓ１０４にて、現在湯温を取得した後、目標湯温が現在湯温以下となっている場合、Ｓ１０４の判定はＮＯとなり、次に、現在湯温と目標湯温の差が第２の閾値βよりも大きいか否かを判定する（Ｓ１１４）。
【００７８】
ここで、現在湯温と目標湯温の差が第２の閾値βよりも大きくなっている場合、Ｓ１１４の判定はＹＥＳとなり、次に、追い炊き運転を実施する（Ｓ１１６）。
【００７９】
この追い炊き運転では、制御装置７０が、第１三方継手６１ａと貯湯タンク３０の上方側流入出口３０ｂとを接続するように三方弁６２の作動を制御するとともに、給湯水ポンプ６３ｃおよび浴槽用水ポンプ６３ｂを作動させる。
【００８０】
従って、追い炊き運転では、図１の太実線矢印に示すように、上方側流入出口３０ｂから流出した高温の給湯水が、三方弁６２および第１三方継手６１ａを介して、浴槽用熱交換器４０の給湯水側通路４０ａへ流入する。給湯水側通路４０ａへ流入した高温の給湯水は、浴槽用湯側通路４０ｂを流通する浴槽用湯に放熱する。
【００８１】
給湯水側通路４０ａから流出した給湯水は、給湯水ポンプ６３ｃへ吸入されて中間側流入口３０ｅから貯湯タンク３０内へ流入する。この際、追い炊き運転では、沸上用水ポンプ６３ａが停止しているので、沸上用水ポンプ６３ａの逆流防止機能により、第１三方継手６１ａからヒートポンプサイクル２０の水−冷媒熱交換器側へ給湯水が流出することはない。
【００８２】
また、図１の二重線矢印に示すように、浴槽用水ポンプ６３ｂから圧送された浴槽用湯が浴槽用熱交換器４０の浴槽用湯側通路４０ｂへ流入する。浴槽用湯側通路４０ｂへ流入した浴槽用湯は、給湯水側通路４０ａを流通する高温の給湯水から吸熱する。これにより、浴槽用湯が加熱される。この際、追い炊き運転では、浴槽用開閉弁６５が閉じているので、浴槽用水ポンプ６３ｂから圧送された浴槽用湯が浴槽用温度調整弁６４ｂ側へ逆流してしまうことはない。
【００８３】
次に、現在湯温が目標湯温に到達したか否かを判定する（Ｓ１１６）。ここで、現在湯温が目標湯温に到達していない場合、Ｓ１１６の判定はＮＯとなり、Ｓ１１４へ戻り、追い炊き運転を継続する。そして、現在湯温が目標湯温に到達すると、Ｓ１１６の判定はＹＥＳとなり、追い炊き運転を停止して、本処理を終了する。
【００８４】
なお、自動保温スイッチ８４が投入されていない場合、Ｓ１００の判定はＮＯとなり、Ｓ１０２へ進むことなく、本処理を終了する。
【００８５】
また、Ｓ１０２の判定において、所定条件が成立していないと判定された場合、Ｓ１０４へ進むことなく、本処理を終了する。
【００８６】
上記した構成によれば、予め設定された目標湯温と浴槽に貯められた湯水の現在温度に基づいて、熱交換機を用いてタンク内の湯水の有する熱で浴槽に貯められた湯水の温度を上昇させる追い炊き運転と、熱交換機を用いて浴槽に貯められた湯水の有する熱をタンク内の湯水に回収させて浴槽に貯められた湯水の温度を低下させる風呂熱回収運転を選択的に行って浴槽に貯められた湯水の温度が調整されるので、例えば、前の入浴者に続いて次の入浴者が入浴するようなときに、浴槽の温水に触れて湯温を確認した上で、リモコンで熱回収運転を指示したり、追い炊き運転を指示したりする必要がなく、ユーザの煩わしさを低減しつつ、浴槽に貯められた湯水の温度を所定の温度に調整することができる。
【００８７】
具体的には、入浴者が出浴したことが検知されたことを所定の条件が成立したと判定し、所定の条件が成立したと判定された場合に、上記追い炊き運転と風呂熱回収運転を選択的に行って、浴槽に貯められた湯水の温度を調整することができる。すなわち、次の入浴者の入浴前に、浴槽に貯められた湯水の温度を所望の温度に調整することが可能である。
【００８８】
また、目標温度が現在温度よりも低い場合には、風呂熱回収運転による浴槽に貯められた湯水の温度低下を行うので、例えば、浴槽に貯められた湯水の温度低下のためにさし水をする必要がなく、無駄な水の使用を控えることができる。また、浴槽用熱交換器４０にて浴槽用湯よりも低温の給湯水と浴槽用湯とを熱交換させるので、浴槽用湯の有する熱を貯湯タンク３０内に回収することができる。
【００８９】
また、目標温度と現在温度との差が所定範囲内の場合、追い炊き運転による浴槽に貯められた湯水の温度上昇と、風呂熱回収運転による浴槽に貯められた湯水の温度低下のいずれも実施しないので、無駄な動作を抑制することができる。
【００９０】
（第２実施形態）
上記第１実施形態では、Ｓ１０２にて、入浴者が出浴したことが検知された場合に、所定条件が成立したものと判定するようにしたが、本実施形態では、入浴者が入浴したことが検知された場合に、所定の条件が成立したと判定する。
【００９１】
入浴者が入浴したか否かについては、赤外線センサ７１を用いて検知することができる。具体的には、赤外線センサ７１により入浴者が検知されていない状態から入浴者が検知された場合、入浴者が出浴したと検知することができる。
【００９２】
本実施形態においては、自動保温スイッチ８４が投入され、かつ、入浴者が入浴した場合に、Ｓ１０４〜Ｓ１２０の処理が実施される。
【００９３】
このように、入浴者が入浴したことが検知された場合に、所定の条件が成立したと判定し、所定の条件が成立したと判定された場合に、上記追い炊き運転と風呂熱回収運転を選択的に行い、浴槽に貯められた湯水の温度を調整することができる。
【００９４】
（第３実施形態）
上記第１実施形態では、Ｓ１０２にて、入浴者が出浴したことが検知された場合に、所定条件が成立したものと判定するようにしたが、本実施形態では、浴槽内の湯水の設定温度の変更が実施されたことを所定の条件が成立したと判定する。
【００９５】
浴槽内の湯水の設定温度の変更は、浴槽５０内の浴槽用湯の目標温度ＴＢＯを設定する浴槽用温度設定スイッチ８５に対する操作により行われる。
【００９６】
このように、浴槽内の湯水の設定温度を操作する浴槽用温度設定スイッチ８５を備え、浴槽用温度設定スイッチ８５を用いた浴槽内の湯水の設定温度の変更が実施されたことを所定の条件が成立したと判定し、所定の条件が成立したと判定された場合に、上記追い炊き運転と風呂熱回収運転を選択的に行うことができる。
【００９７】
（第４実施形態）
上記第１実施形態の貯湯式給湯装置１０は、所定の条件が成立した場合、追い炊き運転と、風呂熱回収運転を選択的に行って浴槽に貯められた湯水の温度を調整する処理を実施するよう構成されている。これに対し、本実施形態の貯湯式給湯装置１０は、浴槽５０内の浴槽用湯の量ＷＬが基準湯量ＫＷＬより少なくなっている場合、風呂熱回収運転を実行する前と、追い炊き運転を実行する前に、それぞれ貯湯タンク３０内の湯水および水道水の少なくとも一方により浴槽５０への補水を実施する。
【００９８】
本実施形態の貯湯式給湯装置１０のリモコン（操作パネル）８０は、補水の有効または無効を設定する補水設定スイッチ（図示せず）を有している。リモコン８０は、補水設定スイッチに対する操作に応じた操作信号を制御装置７０へ出力する。制御装置７０は、補水設定スイッチにより補水が有効に設定されているときに浴槽５０への補水を実施し、補水が無効に設定されているときには浴槽５０への補水を実施しない。
【００９９】
図４は、浴槽５０内にたし湯をするときの給湯水および水道水の流れを示した図である。制御装置７０が浴槽用開閉弁６５を開くと、図４の二点鎖線矢印に示すように、貯湯タンク３０の上方側流出口３０ｃから流出した高温の給湯水と、貯湯タンク３０の中間側流出口３０ｄから流出した中間温度の給湯水が温度調整弁６４ａで合流する。なお、高温の給湯水と中間温度の給湯水の合流割合を制御することにより、温度調整弁６４ａより流出する給湯水の温度を調節することが可能である。
【０１００】
温度調整弁６４ａで合流した給湯水は、さらに、浴槽用温度調整弁６４ｂで水道水と合流する。なお、給湯水と水道水の合流割合を制御することにより、浴槽用温度調整弁６４ｂより流出する混合水の温度を調節することが可能である。
【０１０１】
浴槽用温度調整弁６４ｂで合流した混合水は、浴槽用開閉弁６５を通った後、第２三方継手６１ｂで浴槽用水循環回路６０ｅへ流入するものと、槽用水ポンプ６３ｂへ流入するものに分岐する。
【０１０２】
ここで、浴槽用水循環回路６０ｅへ流入した混合水は、浴槽用熱交換器４０の浴槽用湯側通路４０ｂを通って浴槽５０内へ流入し、槽用水ポンプ６３ｂへ流入した水道水は、浴槽用水ポンプ６３ｂを通って浴槽５０内へ流入する。
【０１０３】
本実施形態の貯湯式給湯装置１０は、浴槽用配管６０ｆを流れる湯水の温度を検出する温度センサと、浴槽用温度調整弁６４ｂへ流入する水道水の温度を検出する水道水温温度センサと、浴槽用配管６０ｆを流れる湯水の流量を検出する流量センサ（いずれも図示せず）と、を有している。
【０１０４】
次に、本実施形態の制御装置７０による自動保温運転について、図５に示すフローチャートを用いて説明する。自動保温運転は、湯張り運転が完了している状態で実行される。なお、本実施形態では、リモコン８０に設けられた補水の有効または無効を設定するスイッチが補水有効に設定されているものとする。また、ここでは、沸上用水ポンプ６３ａ、浴槽用水ポンプ６３ｂおよび給湯水ポンプ６３ｃは作動を停止しているものとする。また、Ｓ１００〜Ｓ１０６は、図３のフローチャートと同じであるので、ここでは説明を省略する。
【０１０５】
目標湯温が現在湯温よりも低くなっており、Ｓ１０６にてＹＥＳと判定されると、次に、制御装置７０は、現在水位が目標水位よりも低いか否かを判定する（Ｓ２００）。具体的には、水位センサ７２によって検出された浴槽５０内の浴槽用湯の量ＷＬが、予め定めた基準湯量ＫＷＬ未満となっているか否かに基づいて現在水位が目標水位よりも低いか否かを判定する。
【０１０６】
ここで、浴槽５０内の浴槽用湯の量ＷＬが、予め定めた基準湯量ＫＷＬ未満となっている場合、Ｓ２００の判定はＹＥＳとなり、次に、補水量を算出する（Ｓ２０２）。水位センサ７２によって検出された浴槽５０内の浴槽用湯の量をＷＬ、目標湯量を基準湯量ＫＷＬとすると、補水量Ｘは、Ｘ＝ＫＷＬ−ＷＬとして算出することができる。
【０１０７】
次に、補水温度を算出する（Ｓ２０４）。補水温度は、浴槽５０に補充すべき湯水の温度である。ここで、補水温度の算出について説明する。本実施形態では、まず、目標風呂熱量を算出する。目標湯温をｔ’、給水温度をｔ０とすると、目標風呂熱量Ｑ１は、Ｑ１＝ＫＷＬ×（ｔ’−ｔ０）として算出することができる。なお、本実施形態では、水道水の温度を給水温度をｔ０としている。次に、現在風呂熱量を算出する。ここで、現在湯温をｔとすると、現在風呂熱量Ｑ２は、Ｑ２＝ＷＬ×（ｔ−ｔ０）として算出することができる。
【０１０８】
したがって、補水により必要となる熱量Ｑ３は、Ｑ３＝ＫＷＬ×（ｔ’−ｔ０）−ＷＬ×（ｔ−ｔ０）として算出することができる。
【０１０９】
また、Ｓ２０２にて算出したように、補水量は、ＫＷＬ−ＷＬとなっている。したがって、補水温度は、以下の数式１を用いて算出することができる。
【０１１０】
（数１）
（ＫＷＬ×（ｔ’−ｔ０）−ＷＬ×（ｔ−ｔ０））／（ＫＷＬ−ＷＬ）＋ｔ０
次に、貯湯タンク３０内の湯水および水道水の少なくとも一方により浴槽５０への補水を実施する（Ｓ２０６）。具体的には、浴槽用開閉弁６５を開くとともに、Ｓ２０２にて算出された補水量で、かつ、Ｓ２０４にて算出された補水温度の湯水が浴槽５０に補充されるよう、温度調整弁６４ａおよび浴槽用温度調整弁６４ｂを制御する。
【０１１１】
次に、浴槽５０内の浴槽用湯の量ＷＬが目標湯量である基準湯量ＫＷＬに到達したか否かを判定する（Ｓ２０８）。具体的には、水位センサ７２の検出信号を読み込み、水位センサ７２によって検出された浴槽５０内の浴槽用湯の量ＷＬが、予め定めた基準湯量ＫＷＬ以上となっているか否かを判定する。
【０１１２】
ここで、浴槽５０内の浴槽用湯の量ＷＬが基準湯量ＫＷＬ未満の場合、Ｓ２０８の判定を繰り返し実施する。そして、水位センサ７２によって検出された浴槽５０内の浴槽用湯の量ＷＬが、予め定めた基準湯量ＫＷＬ以上となると、Ｓ２０８の判定はＹＥＳとなり、次に、浴槽５０内の浴槽用湯の温度ＴＢが浴槽５０内の浴槽用湯の目標温度ＴＢＯに到達したか否か判定する（Ｓ２１０）。
【０１１３】
ここで、浴槽用湯温センサ７４によって検出された浴槽５０内の浴槽用湯の温度ＴＢが浴槽５０内の浴槽用湯の目標温度ＴＢＯ以未満となっている場合、Ｓ２１０の判定はＮＯとなり、Ｓ２１０の風呂熱回収運転を実施する。なお、この風呂熱回収運転については、図３のフローチャートと同じであるので、ここでは説明を省略する。
【０１１４】
また、浴槽用湯温センサ７４によって検出された浴槽５０内の浴槽用湯の温度ＴＢが浴槽５０内の浴槽用湯の目標温度ＴＢＯ以下になっている場合、Ｓ２１０の判定はＹＥＳとなり、風呂熱回収運転を実施することなく、本処理を終了する。
【０１１５】
また、目標湯温が現在湯温よりも低くなっており、Ｓ１０６にてＹＥＳと判定された場合でも、浴槽５０内の浴槽用湯の量ＷＬが、予め定めた基準湯量ＫＷＬ以上となっている場合には、Ｓ２００の判定はＮＯとなり、浴槽５０への補水を実施することなく、Ｓ１１０にて、風呂熱回収運転を実行する。
【０１１６】
また、目標湯温が現在湯温以上となっており、Ｓ１０６にてＮＯと判定されると、現在水位が目標水位よりも高いか否かを判定する（Ｓ２１２）。具体的には、水位センサ７２によって検出された浴槽５０内の浴槽用湯の量ＷＬが、予め定めた基準湯量ＫＷＬ以上となっているか否かに基づいて現在水位が目標水位よりも高いか否かを判定する。
【０１１７】
ここで、浴槽５０内の浴槽用湯の量ＷＬが、予め定めた基準湯量ＫＷＬ以上となっていない場合、Ｓ２１２の判定はＹＥＳとなり、次に、補水量を算出する（Ｓ２１４）。具体的には、Ｓ２０２と同様に、水位センサ７２によって検出された浴槽５０内の浴槽用湯の量ＷＬおよび基準湯量ＫＷＬに基づいて補水量を算出する。
【０１１８】
次に、補水温度を算出する（Ｓ２１６）。具体的には、Ｓ２０４と同様に、数式１を用いて補水温度を算出する。
【０１１９】
次に、貯湯タンク３０内の湯水および水道水の少なくとも一方により浴槽５０への補水を実施する（Ｓ２１８）。具体的には、浴槽用開閉弁６５を開くとともに、Ｓ２１４にて算出された補水量で、かつ、Ｓ２１６にて算出された補水温度の湯水が浴槽５０に補充されるよう、温度調整弁６４ａおよび浴槽用温度調整弁６４ｂを制御する。
【０１２０】
次に、浴槽５０内の浴槽用湯の量ＷＬが目標水位である基準湯量ＫＷＬに到達したか否かを判定する（Ｓ２２０）。具体的には、水位センサ７２の検出信号を読み込み、水位センサ７２によって検出された浴槽５０内の浴槽用湯の量ＷＬが、予め定めた基準湯量ＫＷＬ以上となっているか否かを判定する。
【０１２１】
ここで、浴槽５０内の浴槽用湯の量ＷＬが基準湯量ＫＷＬ未満の場合、Ｓ２２０の判定を繰り返し実施する。そして、水位センサ７２によって検出された浴槽５０内の浴槽用湯の量ＷＬが、予め定めた基準湯量ＫＷＬ以上となると、Ｓ２２０の判定はＹＥＳとなり、次に、浴槽５０内の浴槽用湯の温度ＴＢが浴槽５０内の浴槽用湯の目標温度ＴＢＯに到達したか否か判定する（Ｓ２２２）。
【０１２２】
ここで、浴槽用湯温センサ７４によって検出された浴槽５０内の浴槽用湯の温度ＴＢが浴槽５０内の浴槽用湯の目標温度ＴＢＯ以未満となっている場合、Ｓ２２２の判定はＮＯとなり、追い炊き運転を実施する（Ｓ１１６）。
【０１２３】
また、浴槽用湯温センサ７４によって検出された浴槽５０内の浴槽用湯の温度ＴＢが浴槽５０内の浴槽用湯の目標温度ＴＢＯ以上になっている場合、Ｓ２２２の判定はＹＥＳとなり、追い炊き運転を実施することなく、本処理を終了する。
【０１２４】
また、目標湯温が現在湯温以上となっており、Ｓ１０６にてＮＯと判定された場合でも、浴槽５０内の浴槽用湯の量ＷＬが、基準湯量ＫＷＬ以上となっている場合には、Ｓ２１２の判定はＮＯとなり、浴槽５０への補水を実施することなく、Ｓ１１６にて追い炊き運転を実施する。なお、この追い炊き運転についても図３のフローチャートと同じであるので、ここでは説明を省略する。
【０１２５】
上記したように、制御装置７０は、浴槽に貯められた湯水の湯量が基準湯量よりも少ないか否かを判定し、浴槽に貯められた湯水の湯量が基準湯量よりも少ないと判定された場合、タンク内の湯水および水道水の少なくとも一方により浴槽への補水を実施するので、ユーザは補水のための操作を行うことなく、浴槽に貯められた湯水の湯量を基準湯量にすることができる。
【０１２６】
また、制御装置７０は、追い炊き運転および風呂熱回収運転が行われる前に、浴槽への補水を実施するので、速やかに浴槽に貯められた湯水の湯量を基準湯量にするとともに、速やかに浴槽に貯められた湯水の湯量を目標湯温にすることができる。
【０１２７】
また、制御装置７０は、浴槽内の浴槽用湯の水位を検出する水位センサ７２により検出された浴槽内の浴槽用湯の量と予め定められた目標水位の差に基づいて浴槽に補水する湯水の補水量を算出し、算出した補水量の湯水を浴槽に補水することができる。
【０１２８】
また、制御装置７０は、現在水位および現在湯温に基づいて現在の浴槽に貯められた湯水の現在風呂熱量を算出するとともに目標水位および目標湯温に基づいて目標風呂熱量を算出し、現在風呂熱量および目標風呂熱量に基づいて浴槽に補水する湯水の補水温度を算出し、算出した補水温度の湯水を浴槽に補水することができる。
【０１２９】
また、制御装置７０は、浴槽への補水が実施された後、現在温度が目標温度に到達したか否かを判定し、現在温度が目標温度に到達したと判定された場合、追い炊き運転による浴槽に貯められた湯水の温度上昇と、風呂熱回収運転による浴槽に貯められた湯水の温度低下のいずれも実施しないので無駄な動作を抑制することができる。
【０１３０】
なお、本実施形態では、貯湯タンク３０の上方側流出口３０ｃから流出した高温の給湯水と、貯湯タンク３０の中間側流出口３０ｄから流出した中間温度の給湯水を、温度調整弁６４ａで合流させるようにしたが、必ずしも貯湯タンク３０の上方側流出口３０ｃから流出した高温の給湯水と、貯湯タンク３０の中間側流出口３０ｄから流出した中間温度の給湯水を合流させる必要はない。
【０１３１】
本実施形態では、リモコン８０に設けられた補水の有効または無効を設定するスイッチが補水有効に設定されているものとして説明したが、リモコン８０に設けられた補水の有効または無効を設定するスイッチが補水無効に設定されている場合には、Ｓ２０６、Ｓ２１８の補水を実施しないようにすることができる。
【０１３２】
また、本実施形態の制御装置７０は、浴槽への補水が実施された後、現在湯温が目標湯温に到達したと判定された場合、追い炊き運転と風呂熱回収運転のいずれも実施しないようにしたが、例えば、目標湯温と現在湯温との差の大きさが所定範囲内の場合、追い炊き運転と風呂熱回収運転のいずれも実施しないようにすることもできる。
【０１３３】
（他の実施形態）
上述の実施形態では、赤外線センサ７１を用いて入浴者の出浴または入浴を検知したが、例えば、水位センサ７２を採用してもよいし、赤外線センサ７１と水位センサ７２の双方の検出信号からユーザの入出浴を検出するようにしてもよい。
【０１３４】
また、上述の実施形態では、入浴者の出浴または入浴が検知された場合、所定の条件が成立したと判定するようにしたが、例えば、入浴者の一定期間以上の出浴が検知された場合、あるいは、入浴者の一定期間以上の入浴が検知された場合に、所定の条件が成立したと判定するようにしてもよい。
【０１３５】
また、上述の実施形態では、目標湯温が現在湯温よりも高い場合でも、現在湯温と目標湯温の差が第１の閾値α以下となっている場合、Ｓ１０８の判定はＮＯとなり、風呂熱回収運転（Ｓ１１０）を実施しないようにしたが、現在湯温と目標湯温の差が僅かな場合でも、風呂熱回収運転（Ｓ１１０）を実施するようにしてもよい。
【０１３６】
また、上述の実施形態では、１つの浴槽用熱交換器４０で追い炊き専用熱交換器と熱回収専用熱交換器を構成したが、例えば、貯湯タンク３０のうち上方側の高温側の給湯水と浴槽用湯とを熱交換させる追い炊き専用熱交換器と、貯湯タンク３０のうち下方側の高温側の給湯水と浴槽用湯とを熱交換させる熱回収専用熱交換器の２つの熱交換機を備えた構成としてもよい。
【０１３７】
また、上述の実施形態では、給湯水流路切替手段として、三方弁６２を採用した例を説明したが、給湯水流路切替手段はこれに限定されない。沸上運転時における給湯水流路、追い炊き運転時における給湯水流路、および風呂熱回収湯運転時における給湯水流路等を適切に切替可能であれば、複数の開閉弁（電磁弁）等を組み合わせて給湯水流路切替手段を構成してもよい。
【０１３８】
なお、上記実施形態における構成と特許請求の範囲の構成との対応関係について説明すると、制御部４０におけるＳ１０２を実行する構成（ソフトウェアやハードウェア等）が条件判定手段に相当し、Ｓ１０４〜Ｓ１２０を実行する構成が湯温調整手段に相当し、Ｓ２００、Ｓ２１２が湯量判定手段に相当し、Ｓ２０６、Ｓ２１８が補水手段に相当し、水位センサ７２が水位検出手段に相当し、Ｓ２０２、２１４が補水量算出手段に相当し、Ｓ２０４、Ｓ２１６が補水温度算出手段に相当する。
【符号の説明】
【０１３９】
１０  貯湯式給湯装置
２０  ヒートポンプサイクル
３０  貯湯タンク
４０  浴槽用熱交換器
５０  浴槽
７１  赤外線センサ
【図１】
2016031227.tif 000003
【図２】
2016031227.tif 000004
【図３】
2016031227.tif 000005
【図４】
2016031227.tif 000006
【図５】
2016031227.tif 000007